(57)【要約】【課題】圃場に存在するわらの耕土内へのすき込み性能が向上し、またコストの増大が抑制可能な代掻き作業機を提供する。【解決手段】代掻き作業機１は、延長作業体左２０Ｌに回転可能に支持された耕耘ロータの上部を覆うシールドカバー左２５Ｌの後部に上下方向に回動自在に支持された第１延長整地板左２６Ｌと、この後端部に回動可能に支持された第２延長整地板左２７Ｌと、この機体幅方向の外側端部に上下方向に回動自在に設けられた延長補助整地板５５と、シールドカバー左２５Ｌ上に配設されて、延長補助整地板５５を回動させる回動装置４０とを備える。シールドカバー左２５Ｌの左側隅部には前後方向に延設された前側軸部を中心として上下方向に回動自在な前側整地板６０が設けられ、前側整地板６０は、回動装置４０によって延長補助整地板５５と連動して回動する。【選択図】  図１
2013192481.tif 000002
【特許請求の範囲】
【請求項１】
機体に回転可能に支持された耕耘ロータと、該耕耘ロータの上部を覆うカバー部と、前記耕耘ロータの進行方向後側に配置されて前記カバー部に上下方向に回動自在に支持された第１整地板と、該第１整地板の後端部に回動可能に支持された第２整地板と、該第２整地板の機体幅方向の端部に前後方向に延びる軸部を中心として回動自在に設けられた延長補助整地板と、前記延長補助整地板を回動させる回動装置とを備えた代掻き作業機であって、
前記カバー部の幅方向端部の前側に前後方向に延設された前側軸部を中心として上下方向に回動自在であり、圃場面に接地した状態で進行方向に対して幅方向外側へ延び、進行方向前側に面する前面部が進行方向に対して機体幅方向内側に傾斜する前側整地板が設けられ、
前記前側整地板は、前記回動装置によって前記延長補助整地板と連動して回動する
ことを特徴とする代掻き作業機。
【請求項２】
前記回動装置は、前記前側整地板の下面が圃場面に接地して作業が可能な作業位置と該前側整地板が圃場面に接地しない非作業位置との範囲内で前記前側整地板を回動させる
ことを特徴とする請求項１に記載の代掻き作業機。
【請求項３】
前記前側整地板は、前記前側軸部の軸芯方向に対して略直交する方向に延びて、該前側軸部を中心として回動自在に設けられ、
前記前側軸部は、前側に延びるに従って上方へ所定角度を有して傾斜している
ことを特徴とする請求項２に記載の代掻き作業機。
【請求項４】
前記前側整地板は、長手方向の長さが調整自在である
ことを特徴とする請求１から３のいずれかに記載の代掻き作業機。
【発明の詳細な説明】
【技術分野】
【０００１】
本発明は、耕耘ロータの耕耘幅より広い幅に亘って圃場の表面を平らに整地可能な延長補助整地板を備える代掻き作業機に関する。
【背景技術】
【０００２】
水田の田面に存在するわらの耕土内へのすき込む性能を向上させるための延長補助整地板を備えた代掻き作業機が知られている（特許文献１参照）。この代掻き作業機は、機枠に回転自在に支持された耕耘ロータを有し、この耕耘ロータの上部を覆うカバー部の後端部に第１整地板が回動自在に設けられ、この第１整地板の後端部に第２整地板が回動可能に設けられ、第２整地板の機体幅方向端部に前後方向に延びる軸部を中心として延長補助整地板が回動自在に設けられている。延長補助整地板は、カバー部上に設けられた回動装置によって第２整地板の上方に折り畳んだ非作業位置と第２整地板の長手方向の側方に張り出した作業位置との間を回動可能である。
【０００３】
また、延長補助整地板が耕耘ロータの幅方向端部の前方に設けられた代掻き作業機も知られている（特許文献２参照）。この代掻き作業機は、耕耘ロータの幅方向端部に設けられた側板部の前側端部にサイドカバーが平行リンク機構を介して上下方向に移動自在に設けられ、サイドカバーの外側面に前側整地板（文献では第１整地板）が上下方向に回動自在に取り付けられている。この前側整地板は、これが作業可能な姿勢になると、その前面部は内側に進むに従って漸次後方側へ延びるように傾斜している。
【０００４】
このため、特許文献１に記載の技術と特許文献２に記載の技術を組み合わせて、耕耘ロータの幅方向端部の前側端部と後側端部に前側整地板及び延長補助整地板を設けると、圃場に存在するわらのすき込み性能をより向上させた代掻き作業機を得ることができる。
【先行技術文献】
【特許文献】
【０００５】
【特許文献１】特開２０１０−１２４７９４号公報
【特許文献２】特許４３３５０５８号公報
【発明の概要】
【発明が解決しようとする課題】
【０００６】
これら従来の技術を組み合わせた代掻き作業機では、耕耘ロータの前方に配設される前側整地板を手動で作業位置又は非作業位置に移動させる必要がある。そこで、前側整地板を自動で移動させる回動装置を、延長補助整地板を移動させる回動装置とは別個に代掻き作業機に設けると、代掻き作業機のコストが増大する。
【０００７】
本発明は、このような背景に鑑みてなされたものであり、圃場のわらを確実に機体の幅方向内側に移動させて耕土内へのすき込み性能を向上させることができ、またコストの増大を抑制可能な代掻き作業機を提供することを目的とする。
【課題を解決するための手段】
【０００８】
このような課題を解決するため本発明は、機体（実施の形態における側板２４Ｌ、２４Ｒ）に回転可能に支持された耕耘ロータと、該耕耘ロータの上部を覆うカバー部（実施の形態におけるシールドカバー左２５Ｌ、シールドカバー右２５Ｒ）と、耕耘ロータの進行方向後側に配置されてカバー部に上下方向に回動自在に支持された第１整地板（実施の形態における第１延長整地板左２６Ｌ、第１延長整地板右２６Ｒ）と、該第１整地板の後端部に回動可能に支持された第２整地板（実施の形態における第２延長整地板左２７Ｌ、第２延長整地板右２７Ｒ）と、該第２整地板の機体幅方向の端部に前後方向に延びる軸部を中心として回動自在に設けられた延長補助整地板と、延長補助整地板を回動させる回動装置とを備えた代掻き作業機であって、カバー部の幅方向端部の前側に前後方向に延設された前側軸部を中心として上下方向に回動自在であり、圃場面に接地した状態で進行方向に対して幅方向外側へ延び、進行方向前側に面する前面部が進行方向に対して機体幅方向内側に傾斜する前側整地板が設けられ、前側整地板は、回動装置によって延長補助整地板と連動して回動することを特徴とする（請求項１）。
【０００９】
また、本発明の回動装置は、前側整地板の下面が圃場面に接地して作業が可能な作業位置と該前側整地板が圃場面に接地しない非作業位置との範囲内で前側整地板を回動させることを特徴とする（請求項２）。
【００１０】
また、本発明の前側整地板は、前側軸部の軸芯方向に対して略直交する方向に延びて、該前側軸部を中心として回動自在に設けられ、前側軸部は、前側に延びるに従って上方へ所定角度を有して傾斜していることを特徴とする（請求項３）。
【００１１】
また、本発明の前側整地板は、長手方向の長さが調整自在であることを特徴とする（請求項４）。
【発明の効果】
【００１２】
本発明に係わる代掻き作業機によれば、上記特徴を有することで、圃場のわらを確実に機体の幅方向内側に移動させて耕土内へのすき込み性能を向上させることができ、またコストの増大を抑制可能な代掻き作業機を提供することができる。
【図面の簡単な説明】
【００１３】
【図１】本発明の一実施形態に係わる代掻き作業機の平面図を示す。
【図２】前側整地板が作業位置にあるときの代掻き作業機の一部を示し、同図（ａ）は代掻き作業機の正面側部分説明図であり、同図（ｂ）は代掻き作業機の平面側部分説明図であり、同図（ｃ）は同図（ｂ）のＡ矢視方向の部分側面図である。
【図３】前側整地板とこれを支持する支持板及び支持ブラケットの組立平面図を示す。
【図４】前側整地板を示し、同図（ａ）は前側整地板の平面図であり、同図（ｂ）は前側整地板の正面図であり、同図（ｃ）は前側整地板の側面図である。
【図５】支持板を示し、同図（ａ）は支持板の正面図であり、同図（ｂ）は支持板の側面図である。
【図６】支持ブラケットを示し、同図（ａ）は支持ブラケットの側面図であり、同図（ｂ）は支持ブラケットの正面図である。
【図７】前側整地板が非作業位置にあるときの代掻き作業機の一部を示し、同図（ａ）は代掻き作業機の正面側部分説明図であり、同図（ｂ）は代掻き作業機の平面側部分説明図であり、同図（ｃ）は同図（ｂ）のＡ矢視方向の部分側面図である。
【図８】前側整地板の作動を説明するための代掻き作業機の平面側部分説明図を示す。
【発明を実施するための形態】
【００１４】
以下、本発明の好ましい実施の形態を図１〜図８に基づいて説明する。なお、本実施の形態の代掻き作業機は、進行方向に対して左右方向両側が折り畳み可能に構成された代掻き作業機を例にして説明する。
【００１５】
代掻き作業機１は、図１（平面図）に示すように、前進方向に対して左右方向の中央部に配置された作業機本体１０と、作業機本体１０の左右両端部に上下方向に回動可能に取り付けられた延長作業体左２０Ｌ及び延長作業体右２０Ｒと、延長作業体左２０Ｌ及び延長作業体右２０Ｒの各左右方向外側端部の後側に前後方向に延設された軸部２１を回動中心として上下方向に回動可能に取り付けられた延長補助整地板５５とを備え、作業機本体１０、延長作業体左２０Ｌ、延長作業体右２０Ｒによって３分割構造になっている。
【００１６】
作業機本体１０は、左右方向に延びる主フレーム１１を有した機体１２の前部に、走行機体９０の後部に設けられた図示しない３点リンク連結機構に連結されて、走行機体９０の後部に対して昇降可能に装着される。主フレーム１１の左右方向の中央部には前方へ突出する入力軸１３ａを備えたギアボックス１３が設けられ、走行機体９０のＰＴＯ軸からユニバーサルジョイント等の動力伝達手段を介して動力が入力軸１３ａに伝達されるようになっている。
【００１７】
主フレーム１１の左側端部には、チェーン伝動ケース１４が垂設され、主フレーム１１の右側端部には側部フレーム１５がチェーン伝動ケース１４と対向して垂設されている。チェーン伝動ケース１４に接続された主フレーム１１の左側部及びチェーン伝動ケース１４内には伝動機構が設けられ、チェーン伝動ケース１４と側部フレーム１５の下端部間に多数の耕耘爪を取り付けた耕耘ロータ（図示せず）が回転自在に設けられている。そして、入力軸１３ａに伝達された動力は、ギアボックス１３を介して主フレーム１１及びチェーン伝動ケース１４内の伝動機構に伝達されて、耕耘ロータを所定方向に回転させる。耕耘ロータの上側はシールドカバー１６によって覆われている。
【００１８】
シールドカバー１６の後端部には、前端部が上下方向に回動自在に取り付けられて後側が斜め下方へ延びる第１整地板１７が取り付けられている。第１整地板１７は、この後端部によって耕土表面を平らに整地する。第１整地板１７の後端部には、第２整地板１８が上下方向に回動自在に取り付けられている。第２整地板１８は板状に形成され、その裏面が圃場の表面に接触しながら耕土表面を平らに整地する。作業機本体１０の左右両端部には、軸部１９を回動中心として回動自在な延長作業体左２０Ｌ及び延長作業体右２０Ｒが設けられている。延長作業体左２０Ｌ及び延長作業体右２０Ｒは、作業機本体１０との間に設けられた電動油圧シリンダ２２によって回動可能である。
【００１９】
延長作業体左２０Ｌ及び延長作業体右２０Ｒは、左右対称構造であるので、延長作業体左２０Ｌについてのみ説明し、延長作業体右２０Ｒについては延長作業体左２０Ｌと対応する符号を附して説明を省略する。延長作業体左２０Ｌは、左右に配設された一対の側板２４Ｌ間に回転自在に支持された耕耘ロータ左と、耕耘ロータ左の上部を覆い一対の側板２４Ｌ間に配設されたシールドカバー左２５Ｌと、耕耘ロータ左の進行方向後側に配置されてシールドカバー左２５Ｌの後端部に上下方向に回動自在に支持された第１延長整地板左２６Ｌと、第１延長整地板左２６Ｌの後端部に回動可能に支持された第２延長整地板左２７Ｌを有してなる。
【００２０】
第１延長整地板左２６Ｌは、第１整地板１７と同様に構成され、第１延長整地板左２６Ｌの後端部によって耕土表面を平らに整地する。第２延長整地板左２７Ｌは、前述した第２整地板１８と同様に構成されて整地作業を行う。この第２延長整地板左２７Ｌは延長作業体左２０Ｌが作業位置に移動した作業姿勢時に第２整地板１８の外端部に接合して連結され、第２延長整地板左２７Ｌが非作業位置に移動した折り畳み姿勢時には第２整地板１８の外端部から離反して第２整地板１８との接合が解除されるようになっている。
【００２１】
また、第２延長整地板左２７Ｌの左側端部には、前述した延長補助整地板５５が設けられている。この延長補助整地板５５は、第２延長整地板左２７Ｌに設けられた軸部２１を回動中心として回動して、作業位置に移動した展開状態時には第２延長整地板左２７Ｌの左右方向外側に延びて第２延長整地板左２７Ｌの整地作業を補助し、折り畳んだ状態（不使用状態）時には第２延長整地板左２７Ｌの表面側に折り畳まれて第２延長整地板左２７Ｌと重なった状態となる。延長補助整地板５５は、作業時には平面視において前面部が斜め前方に傾斜するように構成されて、前進時に水田の泥水を機体幅方向内側へ導くことができる。
【００２２】
延長補助整地板５５は、回動装置４０によって回動が制御される。回動装置４０は、延長作業体左２０Ｌのシールドカバー左２５Ｌ上及び延長作業体右２０Ｒのシールドカバー右２５Ｒ上に設けられている。これらの回動装置４０は同一構造であるので、シールドカバー左２５Ｌ上に設けられた回動装置４０についてのみ説明する。
【００２３】
回動装置４０は、図１、図２（ａ）（正面側部分説明図）、図２（ｂ）（平面側部分説明図）に示すように、シールドカバー２５Ｌ上に設けられた台座４１上に取り付けられている。回動装置４０は、台座４１上に設けられた正逆回転用モータ４２と、正逆回転用モータ４２の回転軸に取り付けられた歯車伝動機構４３と、台座４１に臨むシールドカバー２３上に回動自在に支持された連動アーム前４４及び連動アーム後４５と、連動アーム前４４及び連動アーム後４５の先端部に接続された連結体４６とを有してなる。
【００２４】
台座４１は、シールドカバー２５Ｌ上に左右方向に所定間隔を有して取り付けられた一対の脚部４１ａと、一対の脚部４１ａの上部間を繋ぐ上面部４１ｂと有してなる。正逆回転用モータ４２は、流れる電流の向きによってモータの回転軸が正逆回転可能に構成されている。正逆回転用モータ４２の回転軸には、歯車伝動機構４３の一部をなす減速機構が一体的に取り付けられている。
【００２５】
正逆回転用モータ４２は、台座４１の上面部４１ｂ上に取り付けられ、遠隔操作用のスイッチが電気的に接続されている。このスイッチは走行機体９０（図１参照）の運転席の近くに配置されている。このスイッチの操作によって正逆回転用モータ４２を駆動させることで、連動アーム後４５及び連動アーム前４４が回動して延長補助整地板５５及び後述する前側整地板６０を連動して回動させることができる。
【００２６】
歯車伝動機構４３の減速機構は、正逆回転用モータ４２の回転軸から伝達された動力を減速して出力する出力軸４３ａ（図２（ａ）参照）を有する。出力軸４３ａは、台座４１の上面部４１ｂを貫通して上下方向に延びる。この出力軸４３ａに連動アーム後４５及び連動アーム前４４が連結されている。連動アーム後４５は、シールドカバー左２５Ｌと台座４１の上面部４１ｂとの間を通って外側へ延びるように配置されている。このため、正逆回転用モータ４２が駆動して出力軸４３ａが回転すると、出力軸４３ａと同一方向に連動アーム後４５が回動する。
【００２７】
連動アーム後４５の先端部には、ワイヤ等の連結体４６の一端部が接続され、連結体４６の他端部は延長補助整地板５５の前側端部に取り付けられている。
【００２８】
このため、回動装置４０が駆動して正逆回転用モータ４２の回転軸が一方側に回動すると、連動アーム後４５が延長作業体左２０Ｌの左右方向外側へ延びるように回動して、延長補助整地板５５は水田の表面（圃場面）に接触して作業が可能な作業位置Ｐｓ（図１参照）に移動する。また、正逆回転用モータ４２の回転軸が他方側に回動すると、連動アーム後４５が延長作業体左２０Ｌの左右方向内側へ延びるように回動して、第２延長整地板左２７Ｌ上に沿って折り畳まれた非作業位置に移動する。出力軸４３ａに連結された連動アーム前４４の詳細については後述する。
【００２９】
延長作業体左２０Ｌの前側端部には左右方向に延びる泥除け材２９Ｌが設けられている。また延長作業体左２０Ｌの左側端部の前側隅部には、前述した前側整地板６０が設けられている。前側整地板６０は、シールドカバー左２５Ｌの左側の前側隅部に前後方向に延設された前側軸部６１を中心として上下方向に回動自在である。
【００３０】
前側整地板６０は、図３（組立平面図）、図４（ａ）（平面図）、図４（ｂ）（正面図）、図４（ｃ）（側面図）に示すように、水田の表面に接触する板状の底面部６０ａと、底面部６０ａの前端部から上方へ延びる板状の前面部６０ｂとを有して形成されている。底面部６０ａは平面視矩形状に形成されている。前面部６０ｂは、底面部６０ａと同様に平面視矩形状に形成され、側面視において底面部６０ａに対して鈍角γを有して傾斜している（図４（ｃ）参照）。底面部６０ａの長手方向一方側には、前側整地板６０を支持する支持板６３の一端部を接続する接続部６０ｃが設けられている。
【００３１】
接続部６０ｃは、底面部６０ａの幅方向に所定間隔を有して立設された一対の板部６０ｃ１を有し、一対の板部６０ｃ１にはボルト６２ａを通すための孔部６０ｃ２が設けられている。これらの孔部６０ｃ２にボルト６２ａの軸部が挿通されてナット６２ｂと螺合して、支持板６３の一端部が接続部６０ｃに回動自在に接続される。前面部６０ｂの内面の長手方向の他方側には、連結体４６（図２（ｂ）参照）の端部を接続するための係止突出部６０ｃ３が設けられている。
【００３２】
支持板６３は、図３、図５（ａ）（正面図）、図５（ｂ）（側面図）に示すように、弾性変形可能な材料（例えば、炭素鋼）を用いて板状に形成されている。支持板６３は、直線状に延びる短手部６３ａと短手部６３ａに対して屈曲して直線状に延びる長手部６３ｂとを有してなる。短手部６３ａの長手方向一端部には、支点ブラケット７０に挿着される挿着孔部６３ａ１が設けられ、短手部６３ａの長手方向他端側には、ボルト６６（図２（ｃ）参照）が挿通される締結孔部６３ａ２が設けられている。
【００３３】
また、長手部６３ｂの長手方向他端部には接続部６０ｃに接続されるボルト６２ａを通すためのボルト孔部６３ｂ１が設けられている。支持板６３は、弾性変形可能な材料で形成されているので、前側整地板６０が作業位置に移動した状態で前進すると水田から受ける外力によって進行方向後側に撓み、また作用する外力が比較的に小さくなると元の位置に戻る。このため、前側整地板６０に過負荷が作用すると、前側整地板６０は後方側へ向きを変えることができ、前側整地板６０が損傷する虞を小さくすることができる。
【００３４】
支点ブラケット７０は、図３、図６（ａ）（側面図）、図６（ｂ）（正面図）に示すように、板状に形成されたブラケット本体部７１と、ブラケット本体部７１の上端部に取り付けられてブラケット本体部７１に対して略直交する方向に延びる筒部７３とを有してなる。ブラケット本体部７１は、正面視においてＬ字状に形成され、その中間部には連通孔部７１ａが設けられている。この連通孔部７１ａは、支持板６３の締結孔部６３ａ２（図５（ａ）参照）と連通された状態でボルト６６（図２（ｃ）参照）の軸部が挿通される。このボルト６６にナットが螺合して、ブラケット本体部７１と支持板６３が一体的に結合される。
【００３５】
また、ブラケット本体部７１の下側の端部には、連結体４６（図２（ａ）参照）の端部を接続するための係止孔部７１ｂが設けられている。また、ブラケット本体部７１の係止孔部７１ｂと反対側のブラケット本体部７１には、段部７１ｃが形成されている。この段部７１ｃは、図２（ａ）に示す前側軸部６１が設けられたシールドカバー左２５Ｌの前側端部に当接して前側整地板６０の下方への移動を規制する。
【００３６】
筒部７３は、ブラケット本体部７１を中央にしてその両側に略同一長さを有して突出するように設けられている。筒部７３内の貫通孔７３ａの内径は前側軸部６１に対して支点ブラケット７０が回動可能な大きさを有している。
【００３７】
支持板６３及びこれに接続された前側整地板６０は、図２（ｂ）に示すように、前側軸部６１の軸芯方向に対して略直交する方向に延びている。また、前側軸部６１は、平面視において前側が後側に対して左右方向内側に所定角度β（図面ではβ＝約４０°）を有して傾斜するとともに、側面視において前側に進むに従って上方へ所定角度α（図面ではα＝約２０°）を有して傾斜した状態で配置されている（図２（ｃ）参照）。このため、前側整地板６１が水田Ｈの表面に接地した作業位置Ｐｓに移動すると、底面部６０ａは水田Ｈの表面に対して底面部６０ａの前側が上方に位置するように傾斜する。このため、作業中の前進時に前側整地板６０に石等の障害物が接触した場合には、障害物が底面部６０ａの下面に接触し易くなる。このため、前側整地板６０は上方へ附勢されて、前側軸部６１を中心として上方へ回動する。従って、前側整地板６０に過負荷が作用する虞が少なくなり、前側整地板６０が損傷する事態を未然に防止することができる。
【００３８】
また、図２（ａ）及び図２（ｃ）に示すように、支持板６３の長手部６３ｂと前側整地板６０の係止突起部６０ｃ３との間には引っ張りばね７５が設けられている。この引っ張りばね７５は、前側整地板６０による作業時に前側整地板６０が水田の耕土内に引き込まれるのを防止するために設けられている。引っ張りばね７５は、前側整地板６０が作業位置に移動時には自然長と略同じ長さを有し、前側整地板６０が作業位置から下方へ引き込まれると伸長して作業位置側へ戻すように附勢する。このため、前側整地板６０の作業時に前側整地板６０が耕土内に没入する事態を未然に防止することができる。
【００３９】
また、前側整地板６０の前面部６０ｂは、前側整地板６０が作業位置Ｐｓ'に移動すると、左右方向内側に進むに従って後方側に傾く。このため、詳細は後述するが、作業中に水田の泥水等を代掻き作業機１の内側方向へ移動させることができる。
【００４０】
支点ブラケット７０に接続された連結体４６の他端部は、図２（ａ）、図２（ｂ）に示すように、前述した連動アーム前４４の先端部に接続されている。この連結体４６は、連動アーム後４５に連結された連結体４６と同様のワイヤである。連動アーム前４４は、一端側が回動装置４０の出力軸４３ａに連結されて、他端側がシールドカバー左２５Ｌと台座４１の上面部４１ｂとの間を通って外側へ延びるように配置されている。
【００４１】
このため、連動アーム前４４は、連動アーム後４５と連動して回動する。そして、連動アーム前４４は、延長補助整地板５５が作業位置Ｐｓに移動すると、前側整地板６０も作業位置Ｐｓ'に移動し、延長補助整地板５５が非作業位置に移動すると、図７（ａ）、図７（ｂ）に示すように、前側整地板６０もシールドカバー左２５Ｌの上方に折り畳まれる非作業位置Ｐｋ'に移動するように、出力軸４３ａに連結されている。つまり、出力軸４３ａが回動すると、連動アーム前４４及び連動アーム後４５が同時に回動して、延長補助整地板５５及び前側整地板６０を作業位置Ｐｓ、Ｐｓ'に移動させ、また延長補助整地板５５及び前側整地板６０を非作業位置Ｐｋ'に移動させることができる。
【００４２】
なお、図７（ｃ）に示すように、前側整地板６０が非作業位置Ｐｋ'への移動時には、引っ張りばね７５は略自然長の長さを有している。このため、代掻き作業機の移動時に上下方向に代掻き作業機が振動しても引っ張りばね７５によって振動を吸収することができ、前側整地板６０が非作業位置Ｐｋ'において暴れる虞はない。
【００４３】
次に、代掻き作業機１によって水田に存在するわらを耕土内にすき込む作業を行う場合について、図１及び図８を参照しながら説明する。先ず、図１に示すように、水田において延長作業体左２０Ｌ及び延長作業体右２０Ｒを展開姿勢にし、回動装置４０のスイッチを操作して正逆回転用モータ４２を駆動させ、連動アーム前４４及び連動アーム後４５を回動させて延長補助整地板５５及び前側整地板６０を作業位置Ｐｓ、Ｐｓ'に移動させる。
【００４４】
代掻き作業機１の全体が展開姿勢になった状態で代掻き作業機１が装着された走行機体９０が前進走行すると、耕耘ロータよって水田の耕土が耕耘され、第１整地板１７、第２整地板１８、第１延長整地板左２６Ｌ、第２延長整地板左２７Ｌ、第１延長整地板右２６Ｒ、第２延長整地板右２７Ｒによって水田表面が均平にされる。また耕耘ロータの軸方向外側の耕土表面は延長補助整地板５５及び前側整地板６０によって均平にされる。
【００４５】
また、代掻き作業機１の前進にともなって、前側整地板６０の前面部６０ｂによって水田の泥水が代掻き作業機１の左右方向内側へ導かれる。このため、代掻き作業機１の内側方向へ流れる泥水によって、代掻き作業機１の幅方向外側に存在するわらＷを代掻き作業機１の左右方向内側へ移動させることができる。このため、わらＷを耕耘ロータの回転によって耕土内にすき込むことができる。さらに、延長補助整地板５５によって水田の泥水が代掻き作業機１の左右方向内側へ導かれるので、代掻き作業機１の幅方向外側へ移動しようとするわらＷを内側へ押し戻すことができる。このため、わらＷの耕土内へのすき込みをより確実にすることができる。
【００４６】
このように、本願発明の代掻き作業機１は、前側整地板６０によって水田の泥水を代掻き作業機１の左右方向内側へ導く。このため、代掻き作業機１の幅方向外側に存在するわらＷを代掻き作業機１の左右方向内側に移動させて耕土内にすき込むことができる。また、前側整地板６０を回動させる連動アーム前４４は延長補助整地板５５を回動させる連動アーム後４５と同じ回動装置４０に連結されているので、前側整地板６０を回動させる回動装置を別個に設ける必要がない。このため、代掻き作業機１のコストの上昇を抑えることができる。
【００４７】
なお、前述した実施の形態では、前側整地板６０が１枚の板で形成されたものを示したが、図２（ｂ）に示すように、前側整地板６０の先端側に延長板６５をボルト等の締結手段を介して着脱可能に取り付けてもよい。このようにすると、前側整地板６０の長手方向の長さを変更することができる（図２（ｂ）参照）。
【００４８】
また、前述した実施の形態では、図１に示すように、延長作業体左２０Ｌ及び延長作業体右２０Ｒが作業機本体１０に対して折り畳み可能な構造の代掻き作業機１を例にしたが、延長作業体左２０Ｌ及び延長作業体右２０Ｒを無くして、作業機本体１０の幅方向端部に延長補助整地板５５及び前側整地板６０を回動自在に取り付けた代掻き作業機でもよい。
【符号の説明】
【００４９】
１  代掻き作業機
２１  軸部
２４Ｌ、２４Ｒ  側板（機体）
２５Ｌ  シールドカバー左（カバー部）
２５Ｒ  シールドカバー右（カバー部）
２６Ｌ  第１延長整地板左（第１整地板）
２６Ｒ  第１延長整地板右（第１整地板）
２７Ｌ  第２延長整地板左（第２整地板）
２６Ｒ  第２延長整地板右（第２整地板）
４０  回動装置
５５  延長補助整地板
６０  前側整地板
６０ｂ  前面部
６１  前側軸部
Ｐｓ'  作業位置
Ｐｋ'  非作業位置
【図１】
2013192481.tif 000003
【図２】
2013192481.tif 000004
【図３】
2013192481.tif 000005
【図４】
2013192481.tif 000006
【図５】
2013192481.tif 000007
【図６】
2013192481.tif 000008
【図７】
2013192481.tif 000009
【図８】
2013192481.tif 000010